(57)【要約】      （修正有）【課題】頭部とピン体からなる押し止めピンにおいて、その刺し込まれた使用状態でピン体がボード類との間に生じやすい隙間を被覆して、ピン体が剥き出しになることを防ぎ、かつ、できるだけまっ直ぐに刺通する押し止めピンを提供するものである。【解決手段】頭部１と、この頭部２の下面に一体的に適宜長さを有する尖端状のピン体２と、頭部１の下面にピン体２を囲繞する伸縮可能な弾性体３から形成され、頭部１を指圧してピン体２をメモやポスター等の用紙類に刺通して、壁や掲示板等のボード類６に、このピン体２を刺し込んで吊下するとき、囲繞されている伸縮可能な弾性体３が刺し込み状態に対応して収縮してボード類６との隙間を被覆するものである。あるいは、渦巻状ピン体を取り付けることによって、ボード類、掲示板等６から簡単に脱落低下を防ぐことができる。【選択図】図１
2010216645.tif 000002
【特許請求の範囲】
【請求項１】
頭部の下面に適宜長さのピンを一体的に設けてなる押し止めピンにおいて、前記頭部の下面にピンを囲繞する伸縮可能な弾性体を設けてなる押し止めピン。
【請求項２】
前記弾性体が、蛇腹バネからなることを特徴とする請求項１記載の押し止めピン。
【請求項３】
前記押し止めピンにおいて頭部の下面に囲繞する部分に、蛇腹バネの元部を接着剤等で固定する伸縮可能な弾性体の蛇腹バネ。
【発明の詳細な説明】
【技術分野】
【０００１】  本発明は、書類、用紙類等を壁や掲示板等のボード類に吊下するのに用いられる押し止めピンに関するものである。
【背景技術】
【０００２】  従来、企業や家庭においてメモ類や各種用紙類の保管や整理等のために、頭部とピン体からなる画鋲あるいは単にピンと称せられる押し止めピンが幅広く使用されている。【０００３】  これらの押し止めピンは、メモ類あるいはカレンダー、ポスター等の各種用紙類を刺通して木製や合板から製せられる壁や掲示板等のボード類に刺し込んで吊下して保持するため、プラスチックまたは金属製の頭部とこの頭部の下面に適宜長さを有する尖端状のピン体が一体的に形成されたものが用いられている。【０００４】  さらに押し止めピン体の長さが異なるために、押し止めピン体の異なる長さに合わせた、伸縮可能な弾性体の蛇腹バネ体を取り付けた、押し止めピン体の蛇腹バネである。【０００５】  なお押し止めピン体の頭部の下面の周りに、伸縮可能な弾性体な蛇腹バネの元部を接着剤等で固定して一体的に用いられる。
【発明の概要】
【発明が解決しようとする課題】
【０００６】  しかしながら、この種の従来用いられている押し止めピンは、ピン体が刺し込まれる木製や合板等のボード類に隙間なく刺し込まれることは稀で、その多くはボード類との間に隙間が生じていた。【０００７】  隙間ができる要因としては、ボード類が硬くてピン体の刺し込みが浅かったり、頭部への指圧が不十分であったり、ピン体が斜めに刺し込まれたり様々であるが、結果として押し止めピンが外れたり、風圧や重量等で各種の用紙類が剥がれたりしていた。【０００８】  本発明の目的は、頭部とピン体からなる押し止めピンにおいて、その刺し込まれた使用状態でピン体がボード類との間に生じやすい隙間を被覆して、ピン体が剥き出しになることを防ぎ、かつ、できるだけまっ直ぐに刺通する押し止めピンを提供するものである。
【課題を解決するための手段】
【０００９】  上記目的を達成するため、本発明に係る押し止めピンは、頭部の下面に適宜長さのピン体を一体的に設けてなる押し止めピンにおいて、前記頭部の下面にピン体を囲繞する伸縮可能な弾性体を設けてなることを特徴とするものである。【００１０】  さらに、前記弾性体が蛇腹バネからなることを特徴とする者である。【００１１】  さらに、押し止めピンにおいて、前記頭部の下面の周りと、伸縮可能な弾性体の蛇腹バネの元部に接着剤等で固定することを特徴とするものである。
【発明の効果】
【００１２】  上記の構成を有する本発明に係る押し止めピンによれば、頭部の下面にピン体を囲繞する伸縮可能な弾性体を設けて、用紙類等をボード類に押え被覆して剥き出しにすることなく、風圧等の外的な要因でピン体が緩んだり、外れたりすることなく保持することができる。【００１３】  さらに、用紙類等をボード類に吊下するとき、あるいは不用意な落下で手足にピン体の尖端部で怪我をすることを防止することができる。【００１４】  さらに、ピン体を囲繞する伸縮可能な弾性体として蛇腹バネを用いることによって、ピン体の刺し込みの低下を防ぐことなく刺通されて十分な強度を保つことができる。【００１５】  あるいは、ピン体を囲繞する伸縮可能な弾性体として蛇腹バネを用いることによって、１本のピン体に適度な凹状の渦巻状を形状して、ボード、掲示板類等に押し止めピン体の頭部を渦巻方向に巻き込みまがら刺し込むことで、伸縮可能な弾性体の蛇腹バネの伸張力に対して簡単に脱落低下を防ぐことができる。
【図面の簡単な説明】
【００１６】
【図１】  本発明に係る押し止めピンの取付状態を示した断面図である。
【図２】  本発明に係る押し止めピンの蛇腹バネに収縮を示した側面図である。
【図３】  本発明に係る押し止めピンの蛇腹バネに伸張を示した側面図である。
【図４】  本発明に係る押し止めピンの取り付け例を示した略示図である。
【図５】  本発明に係る押し止めピンの蛇腹バネを示した底面図である。
【図６】  本発明に係る渦巻き押し止めピンの渦巻状を示した拡大略示図である。
【発明を実施するための形態】
【００１７】  以下本発明に係る押し止めピンにつき、添付図面を用いて説明すると、図１に示すように、硬質のプラスチックまたは金属製からなる頭部１の下面４に一体的に適宜長さを有する尖端状のピン体２を囲繞する伸縮可能な弾性体３から形成される。
【００１８】  この押し止めピンは、頭部１を指圧して尖端状のピン体２をメモやポスター等の用紙類５に刺通して、壁や掲示板等のボード類６に、このピン体２を刺し込んで吊下するとき、囲繞されている伸縮可能な弾性体３が刺し込む状態に対応して収縮してボード類６との隙間を被覆するものである。
【００１９】  伸縮可能な弾性体３は、図１に示すように、主として硬質の塩化ビニル系の合成樹脂製の蛇腹バネ３ａが用いられ、ピン体２を囲繞するように頭部１の下面４に一体的に設けられて、不使用状態ではピン体２が僅かに突出するように、蛇腹バネ３ａが伸張された断面図である。
【００２０】  また、図２で示すように、伸縮可能な蛇腹バネ３ａが押し止めピン体２を囲むように頭部１の下面４の囲繞に設けられて、使用状態において押し止めピン体２を壁面や掲示板等６に刺し込みに追随して蛇腹バネ３が収縮される側面図である。
【００２１】  また、図３で示すように、伸縮可能な蛇腹バネ３ａが押し止めピン体２を囲むように頭部１の下面４の囲繞に設けられて、伸縮可能な弾性体３の押し止めピン体２が使用前に蛇腹バネ３ａの伸張された側面図である。
【００２２】  また、伸縮可能な弾性体３は図４に示すように、頭部１に指圧でピン体２をカレンダー、ポスター等の各種類用紙５を刺通して壁面や掲示板等のボード類６に差し込む、硬質の塩化ビニル系の合成樹脂製の蛇腹バネ３ａである。
【００２３】  また、図５は押し止めピン体２の下面４に取り付けた伸縮可能な弾性体３で、押し止めピン体２の尖端を中央に位置した、伸縮可能な蛇腹バネ３ａの底面図である。
【００２４】  あるいは、図６は１本のピン体２を渦巻状７で形成して、押し止めピン体の頭部１を押し回しながらボード類、掲示板等６、ポスター、カレンダー等５を刺し込んで固定する渦巻状ピン体８の拡大略示図である。
【００２５】  なお、弾性体３を頭部１の下面４にピン体２を囲繞するように一体的に設けるもので説明したが、これに限らずピン体２を着脱自在に挿通して設けるものであってもよい。
【符号の説明】
【００２６】  １      頭部                        ７      渦巻状
２      ピン体                      ８      渦巻状ピン体
３      弾性体
３ａ    蛇腹バネの弾性体
４      下面
５      用紙類
６      ボード類
【図１】
2010216645.tif 000003
【図２】
2010216645.tif 000004
【図３】
2010216645.tif 000005
【図４】
2010216645.tif 000006
【図５】
2010216645.tif 000007
【図６】
2010216645.tif 000008